(57)【要約】【課題】大型のキャンバスを用いた場合であってもキャンバス上部への描画を容易に行うことができ、特に、椅子などに腰掛けた状態や、体の不自由な方が車椅子に座った状態でもキャンバス上部への描画を容易に行うことができるイーゼルを提供する。【解決手段】イーゼル１０は、キャンバス１２を載置可能な載置台１４を有し、この載置台１４が、キャンバス１２を、キャンバス１２の正面側から見て左右方向に回転可能に構成されている。【選択図】図４
0003122354.tif 000002
【実用新案登録請求の範囲】
【請求項１】
キャンバスを載置可能な載置台を有し、
前記載置台が、前記キャンバスを、前記キャンバスの正面側から見て左右方向に回転可能に構成されていることを特徴とする、
イーゼル。
【請求項２】
前記載置台を前記左右方向に回転駆動する回転駆動部をさらに備えたことを特徴とする、
請求項１に記載のイーゼル。
【請求項３】
前記載置台が、前記キャンバスを、前記キャンバスの正面側から見て上下方向にスライド可能に構成されていることを特徴とする、
請求項１または２に記載のイーゼル。
【請求項４】
前記載置台を前記上下方向にスライド駆動するスライド駆動部をさらに備えたことを特徴とする、
請求項３に記載のイーゼル。
【請求項５】
前記スライド駆動部は、
前記載置台に前記上方向への力を印加する錘を有して構成されていることを特徴とする、
請求項４に記載のイーゼル。
【請求項６】
前記載置台が、前記キャンバスを前傾または後傾可能に構成されていることを特徴とする、
請求項１〜５のいずれか１項に記載のイーゼル。
【請求項７】
前記載置台が、着脱可能に構成されていることを特徴とする、
請求項１〜６のいずれか１項に記載のイーゼル。
【請求項８】
前記載置台は、前記キャンバスの上下側面を支持する上側枠体および下側枠体と、前記キャンバスの左右側面を支持する左側枠体および右側枠体と、を有し、
前記上側枠体と前記下側枠体との間の長さと、前記左側枠体と前記右側枠体との間の長さが、それぞれ調整可能に構成されていることを特徴とする、
請求項１〜７のいずれか１項に記載のイーゼル。
【考案の詳細な説明】
【技術分野】
【０００１】
本考案は、キャンバス（麻や綿などで作られた画布）を載置するイーゼルに関する。
【背景技術】
【０００２】
従来、キャンバスに絵を描く際にキャンバスを載置するイーゼルが広く知られている。
【０００３】
そして、このような従来公知のイーゼルの一つとして、キャンバスを載置するキャンバス受け台を上げ下ろしする機構を備え、キャンバスの高さ位置を調整可能としたイーゼルが提案されている（例えば、特許文献１参照）。
【特許文献１】特開２０００−２２５０３０号公報
【考案の開示】
【考案が解決しようとする課題】
【０００４】
しかしながら、上記特許文献１に記載のイーゼルでは、相当の高さ寸法を有する大型のキャンバス（例えば８０号以上のキャンバス）を用いて描画を行う場合には、キャンバスを下限ぎりぎりまで下げたとしても、キャンバス上部までは相当の距離がありキャンバス上部への描画がし難いといった問題があった。
【０００５】
特に、椅子などに腰掛けた状態で描画を行う場合や、体の不自由な方が車椅子に座った状態で描画を行う場合には、描画を行う者とキャンバス上部との距離がますます遠くなるため、キャンバス上部への描画がし難いといった従来の問題が顕在化し易かった。
【０００６】
本考案は、このような問題点を解決するためになされたものであって、大型のキャンバスを用いた場合であってもキャンバス上部への描画を容易に行うことができ、特に、椅子などに腰掛けた状態や、体の不自由な方が車椅子に座った状態でもキャンバス上部への描画を容易に行うことができるイーゼルを提供することを目的とする。
【課題を解決するための手段】
【０００７】
本考案は、以下の解決手段によって上記課題を解決するものである。
【０００８】
（１）本考案は、キャンバスを載置可能な載置台を有し、前記載置台が、前記キャンバスを、前記キャンバスの正面側から見て左右方向に回転可能に構成されていることを特徴とする、イーゼルである。
【０００９】
（２）本考案はまた、前記載置台を前記左右方向に回転駆動する回転駆動部をさらに備えたことを特徴とする、前記（１）に記載のイーゼルである。
【００１０】
（３）本考案はまた、前記載置台が、前記キャンバスを、前記キャンバスの正面側から見て上下方向にスライド可能に構成されていることを特徴とする、前記（１）または（２）に記載のイーゼルである。
【００１１】
（４）前記載置台を前記上下方向にスライド駆動するスライド駆動部をさらに備えたことを特徴とする、前記（３）に記載のイーゼルである。
【００１２】
（５）前記スライド駆動部は、前記載置台に前記上方向への力を印加する錘を有して構成されていることを特徴とする、前記（４）に記載のイーゼルである。
【００１３】
（６）前記載置台が、前記キャンバスを前傾または後傾可能に構成されていることを特徴とする、前記（１）〜（５）のいずれか１項に記載のイーゼルである。
【００１４】
（７）前記載置台が、着脱可能に構成されていることを特徴とする、前記（１）〜（６）のいずれか１項に記載のイーゼルである。
【００１５】
（８）前記載置台は、前記キャンバスの上下側面を挟んで支持する上側枠体および下側枠体と、前記キャンバスの左右側面を挟んで支持する左側枠体および右側枠体と、を有し、前記上側枠体と前記下側枠体との間の長さと、前記左側枠体と前記右側枠体との間の長さが、それぞれ調整可能に構成されていることを特徴とする、前記（１）〜（７）のいずれか１項に記載のイーゼルである。
【考案の効果】
【００１６】
本考案に係るイーゼルは、大型のキャンバスを用いた場合であってもキャンバス上部への描画を容易に行うことができ、特に、椅子などに腰掛けた状態や、体の不自由な方が車椅子に座った状態でもキャンバス上部への描画を容易に行うことができるという優れた効果を有する。
【００１７】
なお、前記載置台を前記左右方向に回転駆動する回転駆動部をさらに備えれば、大型で重量のあるキャンバスを用いる場合であっても、キャンバスを容易に回転させることができ、利便性をさらに高めることができる。
【００１８】
また、前記載置台が、前記キャンバスを、前記キャンバスの正面側から見て上下方向にスライド可能に構成されていれば、キャンバスの左右方向への回転に加え、上下方向にもスライドさせることができるため、キャンバスを、より描画しやすい位置に移動することができる。
【００１９】
また、前記載置台を前記上下方向にスライド駆動するスライド駆動部をさらに備えれば、大型で重量のあるキャンバスを用いる場合であっても、キャンバスを容易にスライドさせることができ、利便性をさらに高めることができる。
【００２０】
また、前記スライド駆動部は、前記載置台に前記上方向への力を印加する錘を有して構成されていれば、載置台の上方向への移動をより一層円滑に行うことができ、上方向へのスライドに必要な動力を低減することができる。
【００２１】
また、前記載置台が、前記キャンバスを前傾または後傾可能に構成されていれば、イーゼルの使用者が自身の好みに応じてキャンバスの傾斜角度を調整することができる。
【００２２】
また、前記載置台が、着脱可能に構成されていれば、載置台がキャンバスのサイズごとに複数種類用意されているような場合に、これらの載置台の交換が容易となる上に、載置台を外した状態でイーゼルの点検や保守作業を行うことができ、イーゼルのメンテナンス性を高めることもできる。
【００２３】
また、前記載置台は、前記キャンバスの上下側面を挟んで支持する上側枠体および下側枠体と、前記キャンバスの左右側面を挟んで支持する左側枠体および右側枠体と、を有し、前記上側枠体と前記下側枠体との間の長さと、前記左側枠体と前記右側枠体との間の長さが、それぞれ調整可能に構成されていれば、１種類の載置台で様々なサイズのキャンバスに対応することが可能となり、イーゼルの利便性をさらに高めることができる。
【考案を実施するための最良の形態】
【００２４】
以下、図面を用いて、本考案の実施形態に係るイーゼルを詳細に説明する。
【００２５】
＜全体構成＞
【００２６】
まず最初に、本実施形態に係るイーゼルの全体構成について説明する。
【００２７】
図１は本実施形態に係るイーゼル１０の外観を斜め前方から見た様子を示す外観前面斜視図、図２はイーゼル１０の左側面図、図３はイーゼル１０の外観を斜め後方から見た様子を示す外観背面斜視図、図４はイーゼル１０にキャンバスをセットした様子を示す外観前面斜視図である。
【００２８】
図１〜図４に示されるように、このイーゼル１０は、キャンバス１２（図４参照）を載置可能な載置台１４と、この載置台１４を、図１のＲ１方向またはＲ２方向に回転駆動する回転駆動部１６と、載置台１４および回転駆動部１６を、図１のＶ１方向またはＶ２方向にスライド駆動するスライド駆動部１８と、このスライド駆動部１８が設置されるベース２０と、を有して構成されている。
【００２９】
なお、本考案に係る「キャンバス」とは、麻や綿などで作られた画布をいい、キャンバスのサイズにはＳＭ号や０号〜５００号までの複数種類のサイズが存在する。本考案に係るイーゼルで使用されるキャンバスのサイズは特に限定されないが、特に８０号以上の大型のキャンバスに適している。
【００３０】
＜載置台＞
【００３１】
次に、載置台１４について説明する。
【００３２】
上記図１に示されるように、載置台１４は、本実施形態では、キャンバス１２の上下側面を挟んで支持する上側枠体１４Ａおよび下側枠体１４Ｂと、キャンバス１２の左右側面を挟んで支持する左側枠体１４Ｃおよび右側枠体１４Ｄと、上側枠体１４Ａと下側枠体１４Ｂとの間に架け渡された２本の梁部材１４Ｅ、１４Ｆと、左側枠体１４Ｃと右側枠体１４Ｄとの間に架け渡された２本の梁部材１４Ｇ、１４Ｈと、によって構成されている。
【００３３】
また、この載置台１４の上側枠体１４Ａと下側枠体１４Ｂとの間の長さ（高さ）と、左側枠体１４Ｃと右側枠体１４Ｄとの間の長さ（幅）は、それぞれ、載置台１４に載置されるキャンバス１２の高さおよび幅にほぼ一致するように設計されている。
【００３４】
なお、本考案に係る「載置台」は、本実施形態に係る載置台１４の構成に限定されるものではなく、例えば、載置台１４の上側枠体１４Ａと下側枠体１４Ｂとの間の長さと、左側枠体１４Ｃと右側枠体１４Ｄとの間の長さが、それぞれ調整可能に構成されていてもよい。このような構成とすれば、１種類の載置台で様々なサイズのキャンバスに対応することが可能となり、イーゼルの利便性をさらに高めることができる。
【００３５】
また、載置台を着脱可能に構成すれば、載置台がキャンバスのサイズごとに複数種類用意されているような場合に、これらの載置台の交換が容易となる上に、載置台を外した状態でイーゼルの点検や保守作業を行うことができ、イーゼルのメンテナンス性を高めることもできる。
【００３６】
＜回転駆動部＞
【００３７】
次に、回転駆動部１６について説明する。
【００３８】
図５は回転駆動部１６の主要部分をイーゼル１０の背面側から見た様子を示す外観背面図であり、図６は回転駆動部１６のローラ１６Ｃおよび第１モータ１６Ｄを拡大して示した部分拡大図である。
【００３９】
この回転駆動部１６は、本実施形態では、（後述する）スライド駆動部１８のスライドベース１８Ｃに支持された回転軸１６Ａと、この回転軸１６Ａに回転可能に支持された平板円環状の回転ドラム１６Ｂと、この回転ドラム１６Ｂの背面に接するように配設されたローラ１６Ｃと、このローラ１６Ｃを回転駆動する第１モータ１６Ｄと、を有して構成されている。
【００４０】
また、この回転駆動部１６の回転ドラム１６Ｂは、上記図１に示されるように、載置台１４の４本の梁部材１４Ｅ、１４Ｆ、１４Ｇ、１４Ｈに複数の取付ボルト２２で固定されており、載置台１４と一体的に回転可能とされている。なお、図７は、回転駆動部１６によって載置台１４を左方向に約４５度回転させた状態を示すイーゼル１０の正面図である。
【００４１】
この回転駆動部１６では、第１モータ１６Ｄに通電してローラ１６Ｃを回転させ、このローラ１６Ｃの回転によって回転ドラム１６Ｂおよび載置台１４を左右方向（上記図１のＲ１方向またはＲ２方向）に回転駆動する。従って、載置台１４にキャンバス１２を載置すれば、このキャンバス１２を、キャンバス１２の正面側から見て左右方向（上記図１のＲ１方向またはＲ２方向）に回転させることが可能となる。
【００４２】
また、キャンバス１２の回転方向は、第１モータ１６Ｄによってローラ１６Ｃを正転または逆転することで切り替えることが可能であり、例えば、図８に示されるような、「右回転」および「左回転」のボタンを備えたスイッチ２４を設け、このスイッチ２４から出力される信号に基づいてキャンバス１２の回転方向を切り替えるように構成することができる。
【００４３】
このように、本実施形態に係るイーゼル１０は、載置台１４を回転駆動する回転駆動部１６を備えているため、大型で重量のあるキャンバスを用いる場合であっても、キャンバスを容易に回転させることができ、利便性が高い。
【００４４】
なお、本実施形態では載置台１４を回転駆動部１６によって電気的に回転駆動する例を示したが、本考案に係る「イーゼル」はこれに限定されるものではなく、例えば、載置台１４を機械的に回転駆動させてもよく、また、載置台１４を直接、手で回転させてもよい。すなわち、本考案に係る「載置台」は、キャンバスを載置可能であって、キャンバスを、キャンバスの正面側から見て左右方向に回転可能に構成されていればよい。
【００４５】
また、本考案に係る「回転駆動部」も、本実施形態に係る回転駆動部１６の構成に限定されるものではなく、例えば、第１モータ１６Ｄによって回転軸１６Ａを直接、回転駆動して回転ドラム１６Ｂを回転させてもよい。すなわち、本考案に係る「回転駆動部」は、載置台を左右方向に回転駆動するものであればよい。
【００４６】
＜スライド駆動部＞
【００４７】
次に、スライド駆動部１８について説明する。
【００４８】
図９はスライド駆動部１８における第２モータ１８Ｍの周辺をイーゼル１０の背面側から見た部分拡大図である。
【００４９】
この図９および上記図１〜図３に示されるように、スライド駆動部１８は、本実施形態では、（後述する）第１ベース２０Ａの左側支柱２０Ｃおよび右側支柱２０Ｄの傾斜面に沿って配設された２本のガイドレール１８Ａ、１８Ｂ（上記図１参照）と、この２本のガイドレール１８Ａ、１８Ｂに沿ってスライド可能なスライドベース１８Ｃと、第１ベース２０Ａの左側支柱２０Ｃと右側支柱２０Ｄとの間に回転可能に架け渡されたスプロケット軸１８Ｄと、このスプロケット軸１８Ｄにおける第１ベース２０Ａの内側領域に配設された２つの第１スプロケット１８Ｅおよび第２スプロケット１８Ｆと、これら第１、第２スプロケット１８Ｅ、１８Ｆに巻回されると共に、一端がスライドベース１８Ｃに固定され、他端に平板状の錘１８Ｇが吊り下げられた２本のチェーン１８Ｈ、１８Ｉと、スプロケット軸１８Ｄにおける第１ベース２０Ａの外側領域に配設された第３スプロケット１８Ｊと、この第３スプロケット１８Ｊよりもやや小径なギア１８Ｌと、第３スプロケット１８Ｊおよびギア１８Ｌに巻回されたチェーン１８Ｋと、ギア１８Ｌを回転駆動する第２モータ１８Ｍと、を有して構成されている。
【００５０】
また、このスライド駆動部１８のスライドベース１８Ｃは、回転駆動部１６の回転軸１６Ａに固定されており、回転駆動部１６や載置台１４と一体的にスライド可能とされている。
【００５１】
スライド駆動部１８では、第２モータ１８Ｍに通電して、ギア１８Ｌ→第３スプロケット１８Ｊ→スプロケット軸１８Ｄ→第１、第２スプロケット１８Ｅ、１８Ｆを順次回転させ、チェーン１８Ｈ、１８Ｉを上記図３のＲ３方向またはＲ４方向に移動させる。そして、このチェーン１８Ｈ、１８Ｉの移動によって、スライドベース１８Ｃ、回転駆動部１６、および載置台１４を上下方向（上記図１のＶ１方向またはＶ２方向）に一体的にスライド駆動する。従って、載置台１４にキャンバス１２を載置すれば、このキャンバス１２を、キャンバス１２の正面側から見て上下方向（上記図１のＶ１方向またはＶ２方向）にスライドさせることが可能となる。
【００５２】
また、キャンバス１２のスライド方向は、第２モータ１８Ｍによってギア１８Ｌを正転または逆転することで切り替えることが可能であり、例えば、上記図８に示されるような、「上がる」および「下がる」のボタンを備えたスイッチ２４を設け、このスイッチ２４から出力される信号に基づいてキャンバス１２のスライド方向を切り替えるように構成することができる。
【００５３】
このように、本実施形態に係るイーゼル１０は、載置台１４をスライド駆動するスライド駆動部１８を備えているため、大型で重量のあるキャンバスを用いる場合であっても、キャンバスを容易にスライドさせることができ、利便性が高い。
【００５４】
また、スライド駆動部１８は、載置台１４に上方向への力を印加する錘１８Ｇを有して構成されているため、載置台１４の上方向への移動をより一層円滑に行うことができ、上方向へのスライドに必要な動力を低減することができる。
【００５５】
なお、本考案に係る「スライド駆動部」は、本実施形態に係るスライド駆動部１８の構成に限定されるものではなく、例えば、スライドベース１８Ｃを直動モータによってスライド駆動してもよい。すなわち、本考案に係る「スライド駆動部」は、載置台を上下方向にスライド駆動するものであればよい。
【００５６】
また、本実施形態ではスライドベース１８Ｃを電気的にスライド駆動する例を示したが、本考案に係る「イーゼル」はこれに限定されるものではなく、例えば、スライドベース１８Ｃを機械的にスライド駆動させてもよく、また、スライドベース１８Ｃを直接、手でスライドさせてもよい。さらには、載置台１４をスライド不能に構成してもよい。
【００５７】
＜ベース＞
【００５８】
次に、ベース２０について説明する。
【００５９】
上記図１〜図３に示されるように、ベース２０は、スライド駆動部１８が設置される第１ベース２０Ａと、この第１ベース２０Ａを傾斜可能に支持する第２ベース２０Ｂによって構成されている。
【００６０】
第１ベース２０Ａは、側面視が直角三角形状の左側支柱２０Ｃおよび右側支柱２０Ｄと、これら左側支柱２０Ｃと右側支柱２０Ｄとの間に架け渡された複数の梁部材２０Ｅと、によって構成されている。
【００６１】
この第１ベース２０Ａは、上記図２に示されるように、前面下部Ｏ１を支点として、第２ベース２０Ｂに対して図２のＲ５方向またはＲ６方向に前傾または後傾可能に構成されている。なお、第１ベース２０Ａは、左側支柱２０Ｃおよび右側支柱２０Ｄに取り付けられる固定ボルト２６を用いて、第２ベース２０Ｂに対して所望の角度で固定することが可能である。
【００６２】
このように、本実施形態に係るイーゼル１０は、載置台１４が、キャンバス１２を前傾または後傾可能に構成されているため、イーゼル１０の使用者が自身の好みに応じてキャンバス１２の傾斜角度を調整することができる。
【００６３】
以上説明したように、本実施形態に係るイーゼル１０は、キャンバス１２を載置可能な載置台１４を有し、この載置台１４が、キャンバス１２を、キャンバス１２の正面側から見て左右方向（上記図１のＲ１方向またはＲ２方向）に回転可能に構成されているため、キャンバス１２を回転させてキャンバス１２の上部をイーゼルの使用者に近い位置まで移動させることができる。そのため、大型のキャンバスを用いた場合であってもキャンバス上部への描画を容易に行うことができ、特に、椅子などに腰掛けた状態や、体の不自由な方が車椅子に座った状態でもキャンバス上部への描画を容易に行うことができる。
【００６４】
しかも、載置台１４が、キャンバス１２を、キャンバス１２の正面側から見て上下方向（上記図１のＶ１方向またはＶ２方向）にスライド可能に構成されているため、キャンバス１２の左右方向への回転に加え、上下方向にもスライドさせることができるため、キャンバス１２を、より描画しやすい位置に移動することができる。
【００６５】
なお、本考案に係る「イーゼル」は、上記実施形態に係るイーゼル１０の構成に限定されるものではなく、本考案の要旨を逸脱しない範囲内において種々変更を加え得ることは勿論である。
【産業上の利用可能性】
【００６６】
本考案のイーゼルは、様々なサイズのキャンバスに適用可能であるが、特に、８０号以上の大型のキャンバスに好適である。
【図面の簡単な説明】
【００６７】
【図１】本実施形態に係るイーゼルの外観を斜め前方から見た様子を示す外観前面斜視図である。
【図２】同イーゼルの左側面図である。
【図３】同イーゼルの外観を斜め後方から見た様子を示す外観背面斜視図である。
【図４】同イーゼルにキャンバスをセットした様子を示す外観斜視図である。
【図５】同イーゼルの回転駆動部の主要部分をイーゼルの背面側から見た様子を示す外観背面図である。
【図６】同イーゼルの回転駆動部のローラおよび第１モータを拡大して示した部分拡大図である。
【図７】同イーゼルの回転駆動部によって載置台を左方向に約４５度回転させた状態を示すイーゼルの正面図である。
【図８】同イーゼルのスイッチの外観を示した外観斜視図である。
【図９】同イーゼルのスライド駆動部における第２モータの周辺をイーゼルの背面側から見た部分拡大図である。
【符号の説明】
【００６８】
１０  イーゼル
１２  キャンバス
１４  載置台
１４Ａ  上側枠体
１４Ｂ  下側枠体
１４Ｃ  左側枠体
１４Ｄ  右側枠体
１４Ｅ、１４Ｆ、１４Ｇ、１４Ｈ  梁部材
１６  回転駆動部
１６Ａ  回転軸
１６Ｂ  回転ドラム
１６Ｃ  ローラ
１６Ｄ  第１モータ
１８  スライド駆動部
１８Ａ、１８Ｂ  ガイドレール
１８Ｃ  スライドベース
１８Ｄ  スプロケット軸
１８Ｅ  第１スプロケット
１８Ｆ  第２スプロケット
１８Ｇ  錘
１８Ｈ、１８Ｉ、１８Ｋ  チェーン
１８Ｊ  第３スプロケット
１８Ｌ  ギア
１８Ｍ  第２モータ
２０  ベース
２０Ａ  第１ベース
２０Ｂ  第２ベース
２２  取付ボルト
２４  スイッチ
２６  固定ボルト
【図１】
0003122354.tif 000003
【図２】
0003122354.tif 000004
【図３】
0003122354.tif 000005
【図４】
0003122354.tif 000006
【図５】
0003122354.tif 000007
【図６】
0003122354.tif 000008
【図７】
0003122354.tif 000009
【図８】
0003122354.tif 000010
【図９】
0003122354.tif 000011